【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】
被写体の像が投影されるスクリーン面と、前記スクリーン面上の像を正立化させるための複数の反射面と、前記像を観察するための正の屈折力の接眼レンズとを含む一眼レフカメラにおいて、
前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする接眼レンズを備えた一眼レフカメラ。
０．１５＜ ｔａｎＳ ＜  ０．３５
２．００＜ ｆｂ／Ｙ ＜  ５．００
−０．６７＜ ｆ３／ｆ ＜−０．２５
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆｂはスクリーン面から第１レンズ成分の入射面までの空気換算長であり、接眼レンズが移動する場合は視度０ｍ-1における空気換算長、Ｙはスクリーン面における画面対角長、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
【請求項２】
被写体の像が投影されるスクリーン面と、前記スクリーン面上の像を正立化させるための複数の反射面と、前記像を観察するための正の屈折力の接眼レンズとを含む一眼レフカメラにおいて、
前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする接眼レンズを備えた一眼レフカメラ。
０．１５＜ ｔａｎＳ ＜  ０．３５
−０．６７＜ ｆ３／ｆ ＜−０．３７
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
【請求項３】
被写体の像が投影されるスクリーン面と、前記スクリーン面上の像を正立化させるための複数の反射面と、前記像を観察するための正の屈折力の接眼レンズとを含む一眼レフカメラにおいて、
前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする接眼レンズを備えた一眼レフカメラ。
０．１５＜ ｔａｎＳ ＜ ０．３５
１５ｍｍ＜    Ｙ    ＜ ３０ｍｍ
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、Ｙはスクリーン面における画面対角長である。
【請求項４】
被写体の像が投影されるスクリーン面と、前記スクリーン面上の像を正立化させるための複数の反射面と、前記像を観察するための正の屈折力の接眼レンズとを含む一眼レフカメラにおいて、
前記接眼レンズは、被写体側より順に、正の屈折力の第１レンズ成分と、正の屈折力の第２レンズ成分と、負の屈折力の第３レンズ成分とを備え、かつ、次の条件式を満足することを特徴とする接眼レンズを備えた一眼レフカメラ。
０．１５＜ ｔａｎＳ ＜ ０．３５
−０．６７＜ ｆ３／ｆ ＜−０．３３
０．００≦｜ｆ／ｆ２３｜＜０．２５８
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆ３は第３レンズ成分の焦点距離、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
【請求項５】
前記第１レンズ成分、第２レンズ成分、第３レンズ成分が、夫々１つの単レンズまたは１つの接合レンズからなることを特徴とする請求項１〜４の何れかに記載の接眼レンズを備えた一眼レフカメラ。
【請求項６】
前記第１レンズ成分のみを移動させることにより視度調整を行うようにしたことを特徴とする請求項１〜５の何れかに記載の接眼レンズを備えた一眼レフカメラ。
【請求項７】
前記第１レンズ成分及び第２レンズ成分のみを移動させることにより視度調整を行うようにしたことを特徴とする請求項１〜５の何れかに記載の接眼レンズを備えた一眼レフカメラ。
【請求項８】
次の条件式を満足することを特徴とする請求項１に記載の接眼レンズを備えた一眼レフカメラ。
１５ｍｍ＜ Ｙ ＜ ３０ｍｍ
ただし、Ｙはスクリーン面における画面対角長である。
【請求項９】
次の条件式を満足することを特徴とする請求項１に記載の接眼レンズを備えた一眼レフカメラ。
０．００≦｜ｆ／ｆ２３｜＜０．３３３
ただし、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
【請求項１０】
被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする接眼レンズを備えた一眼レフカメラ。
０．１５＜ ｔａｎＳ ＜  ０．３５
２．００＜ ｆｂ／Ｙ ＜  ４．００
−０．６７＜ ｆ３／ｆ ＜−０．２５
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆｂはスクリーン面から第１レンズ成分の入射面までの空気換算長であり、接眼レンズが移動する場合は視度０ｍ-1における空気換算長、Ｙはスクリーン面における画面対角長、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
【請求項１１】
被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする接眼レンズを備えた一眼レフカメラ。
０．１５＜ ｔａｎＳ ＜  ０．３５
２．００＜ ｆｂ／Ｙ ＜  ５．００
−０．６７＜ ｆ３／ｆ ＜−０．３３
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆｂはスクリーン面から第１レンズ成分の入射面までの空気換算長であり、接眼レンズが移動する場合は視度０ｍ-1における空気換算長、Ｙはスクリーン面における画面対角長、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
【請求項１２】
被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする接眼レンズを備えた一眼レフカメラ。
０．１５＜ ｔａｎＳ ＜  ０．３５
２．００＜ ｆｂ／Ｙ ＜  ５．００
−０．６７＜ ｆ３／ｆ ＜−０．３７
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆｂはスクリーン面から第１レンズ成分の入射面までの空気換算長であり、接眼レンズが移動する場合は視度０ｍ-1における空気換算長、Ｙはスクリーン面における画面対角長、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
【請求項１３】
被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする接眼レンズを備えた一眼レフカメラ。
０．１５＜ ｔａｎＳ ＜  ０．３５
２．００＜ ｆｂ／Ｙ ＜  ５．００
−０．６５＜ ｆ３／ｆ ＜−０．３５
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆｂはスクリーン面から第１レンズ成分の入射面までの空気換算長であり、接眼レンズが移動する場合は視度０ｍ-1における空気換算長、Ｙはスクリーン面における画面対角長、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
【請求項１４】
被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする接眼レンズを備えた一眼レフカメラ。
０．１５＜ ｔａｎＳ ＜  ０．３５
２．００＜ ｆｂ／Ｙ ＜  ５．００
−０．６２＜ ｆ３／ｆ ＜−０．４０
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆｂはスクリーン面から第１レンズ成分の入射面までの空気換算長であり、接眼レンズが移動する場合は視度０ｍ-1における空気換算長、Ｙはスクリーン面における画面対角長、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
【請求項１５】
次の条件式を満足することを特徴とする請求項２に記載の接眼レンズを備えた一眼レフカメラ。
１５ｍｍ＜ Ｙ ＜ ３０ｍｍ
ただし、Ｙはスクリーン面における画面対角長である。
【請求項１６】
次の条件式を満足することを特徴とする請求項２に記載の接眼レンズを備えた一眼レフカメラ。
０．００≦｜ｆ／ｆ２３｜＜０．３３３
ただし、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
【請求項１７】
被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする接眼レンズを備えた一眼レフカメラ。
０．１５＜ ｔａｎＳ ＜  ０．３５
−０．６２＜ ｆ３／ｆ ＜−０．４０
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
【請求項１８】
次の条件式を満足することを特徴とする請求項３に記載の接眼レンズを備えた一眼レフカメラ。
２．００＜ ｆｂ／Ｙ ＜ ５．００
ただし、ｆｂはスクリーン面から第１レンズ成分の入射面までの空気換算長であり、接眼レンズが移動する場合は視度０ｍ-1における空気換算長、Ｙはスクリーン面における画面対角長である。
【請求項１９】
次の条件式を満足することを特徴とする請求項３に記載の接眼レンズを備えた一眼レフカメラ。
２．００＜ ｆｂ／Ｙ ＜ ４．００
ただし、ｆｂはスクリーン面から第１レンズ成分の入射面までの空気換算長であり、接眼レンズが移動する場合は視度０ｍ-1における空気換算長、Ｙはスクリーン面における画面対角長である。
【請求項２０】
次の条件式を満足することを特徴とする請求項３に記載の接眼レンズを備えた一眼レフカメラ。
０．００≦｜ｆ／ｆ２３｜＜０．３３３
ただし、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
【請求項２１】
次の条件式を満足することを特徴とする請求項４に記載の接眼レンズを備えた一眼レフカメラ。
２．００＜ ｆｂ／Ｙ ＜ ５．００
ただし、ｆｂはスクリーン面から第１レンズ成分の入射面までの空気換算長であり、接眼レンズが移動する場合は視度０ｍ-1における空気換算長、Ｙはスクリーン面における画面対角長である。
【請求項２２】
次の条件式を満足することを特徴とする請求項４に記載の接眼レンズを備えた一眼レフカメラ。
２．００＜ ｆｂ／Ｙ ＜ ４．００
ただし、ｆｂはスクリーン面から第１レンズ成分の入射面までの空気換算長であり、接眼レンズが移動する場合は視度０ｍ-1における空気換算長、Ｙはスクリーン面における画面対角長である。
【請求項２３】
次の条件式を満足することを特徴とする請求項４に記載の接眼レンズを備えた一眼レフカメラ。
１５ｍｍ＜ Ｙ ＜ ３０ｍｍ
ただし、Ｙはスクリーン面における画面対角長である。
【請求項２４】
被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズは、被写体側より順に、正の屈折力の第１レンズ成分と、正の屈折力の第２レンズ成分と、負の屈折力の第３レンズ成分とを備え、かつ、次の条件式を満足することを特徴とする接眼レンズを備えた一眼レフカメラ。
０．１５＜ ｔａｎＳ ＜  ０．３５
−０．６７＜ ｆ３／ｆ ＜−０．３７
０．００≦｜ｆ／ｆ２３｜＜０．２５８
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆ３は第３レンズ成分の焦点距離、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
【請求項２５】
被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズは、被写体側より順に、正の屈折力の第１レンズ成分と、正の屈折力の第２レンズ成分と、負の屈折力の第３レンズ成分とを備え、かつ、次の条件式を満足することを特徴とする接眼レンズを備えた一眼レフカメラ。
０．１５＜ ｔａｎＳ ＜  ０．３５
−０．６５＜ ｆ３／ｆ ＜−０．３５
０．００≦｜ｆ／ｆ２３｜＜０．２５８
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆ３は第３レンズ成分の焦点距離、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
【請求項２６】
被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズは、被写体側より順に、正の屈折力の第１レンズ成分と、正の屈折力の第２レンズ成分と、負の屈折力の第３レンズ成分とを備え、かつ、次の条件式を満足することを特徴とする接眼レンズを備えた一眼レフカメラ。
０．１５＜ ｔａｎＳ ＜  ０．３５
−０．６２＜ ｆ３／ｆ ＜−０．４０
０．００≦｜ｆ／ｆ２３｜＜０．２５８
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆ３は第３レンズ成分の焦点距離、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
【請求項２７】
前記第１レンズ成分は両凸形状であり、前記第２レンズ成分は被写体側に凸面を向けたメニスカス形状であり、前記第３レンズ成分は被写体側面よりも瞳側面の方が曲率半径の絶対値が小さい形状であることを特徴とする請求項５に記載の接眼レンズを備えた一眼レフカメラ。
【手続補正２】
【補正対象書類名】明細書
【補正対象項目名】００１０
【補正方法】変更
【補正の内容】
【００１０】
また、本第７の発明による接眼レンズを備えた一眼レフカメラは、本第１〜第５のいずれかの発明において、前記第１レンズ成分及び第２レンズ成分のみを移動させることにより視度調整を行うようにしたことを特徴とする。
また、本第８の発明による接眼レンズを備えた一眼レフカメラは、本第１の発明において、次の条件式を満足することを特徴とする。
１５ｍｍ＜ Ｙ ＜ ３０ｍｍ
ただし、Ｙはスクリーン面における画面対角長である。
また、本第９の発明による接眼レンズを備えた一眼レフカメラは、本第１の発明において、次の条件式を満足することを特徴とする。
０．００≦｜ｆ／ｆ２３｜＜０．３３３
ただし、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
また、本第１０の発明による接眼レンズを備えた一眼レフカメラは、被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする。
０．１５＜ ｔａｎＳ ＜  ０．３５
２．００＜ ｆｂ／Ｙ ＜  ４．００
−０．６７＜ ｆ３／ｆ ＜−０．２５
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆｂはスクリーン面から第１レンズ成分の入射面までの空気換算長であり、接眼レンズが移動する場合は視度０ｍ-1における空気換算長、Ｙはスクリーン面における画面対角長、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
また、本第１１の発明による接眼レンズを備えた一眼レフカメラは、被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする。
０．１５＜ ｔａｎＳ ＜  ０．３５
２．００＜ ｆｂ／Ｙ ＜  ５．００
−０．６７＜ ｆ３／ｆ ＜−０．３３
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆｂはスクリーン面から第１レンズ成分の入射面までの空気換算長であり、接眼レンズが移動する場合は視度０ｍ-1における空気換算長、Ｙはスクリーン面における画面対角長、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
また、本第１２の発明による接眼レンズを備えた一眼レフカメラは、被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする。
０．１５＜ ｔａｎＳ ＜  ０．３５
２．００＜ ｆｂ／Ｙ ＜  ５．００
−０．６７＜ ｆ３／ｆ ＜−０．３７
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆｂはスクリーン面から第１レンズ成分の入射面までの空気換算長であり、接眼レンズが移動する場合は視度０ｍ-1における空気換算長、Ｙはスクリーン面における画面対角長、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
また、本第１３の発明による接眼レンズを備えた一眼レフカメラは、被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする。
０．１５＜ ｔａｎＳ ＜  ０．３５
２．００＜ ｆｂ／Ｙ ＜  ５．００
−０．６５＜ ｆ３／ｆ ＜−０．３５
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆｂはスクリーン面から第１レンズ成分の入射面までの空気換算長であり、接眼レンズが移動する場合は視度０ｍ-1における空気換算長、Ｙはスクリーン面における画面対角長、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
また、本第１４の発明による接眼レンズを備えた一眼レフカメラは、被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする。
０．１５＜ ｔａｎＳ ＜  ０．３５
２．００＜ ｆｂ／Ｙ ＜  ５．００
−０．６２＜ ｆ３／ｆ ＜−０．４０
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆｂはスクリーン面から第１レンズ成分の入射面までの空気換算長であり、接眼レンズが移動する場合は視度０ｍ-1における空気換算長、Ｙはスクリーン面における画面対角長、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
また、本第１５の発明による接眼レンズを備えた一眼レフカメラは、本第２の発明において、次の条件式を満足することを特徴とする。
１５ｍｍ＜ Ｙ ＜ ３０ｍｍ
ただし、Ｙはスクリーン面における画面対角長である。
また、本第１６の発明による接眼レンズを備えた一眼レフカメラは、本第２の発明において、次の条件式を満足することを特徴とする。
０．００≦｜ｆ／ｆ２３｜＜０．３３３
ただし、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
また、本第１７の発明による接眼レンズを備えた一眼レフカメラは、被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分とを備え、かつ、次の条件式を満足することを特徴とする。
０．１５＜ ｔａｎＳ ＜  ０．３５
−０．６２＜ ｆ３／ｆ ＜−０．４０
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
また、本第１８の発明による接眼レンズを備えた一眼レフカメラは、本第３の発明において、次の条件式を満足することを特徴とする。
２．００＜ ｆｂ／Ｙ ＜ ５．００
ただし、ｆｂはスクリーン面から第１レンズ成分の入射面までの空気換算長であり、接眼レンズが移動する場合は視度０ｍ-1における空気換算長、Ｙはスクリーン面における画面対角長である。
また、本第１９の発明による接眼レンズを備えた一眼レフカメラは、本第３の発明において、次の条件式を満足することを特徴とする。
２．００＜ ｆｂ／Ｙ ＜ ４．００
ただし、ｆｂはスクリーン面から第１レンズ成分の入射面までの空気換算長であり、接眼レンズが移動する場合は視度０ｍ-1における空気換算長、Ｙはスクリーン面における画面対角長である。
また、本第２０の発明による接眼レンズを備えた一眼レフカメラは、本第３の発明において、次の条件式を満足することを特徴とする。
０．００≦｜ｆ／ｆ２３｜＜０．３３３
ただし、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
また、本第２１の発明による接眼レンズを備えた一眼レフカメラは、本第４の発明において、次の条件式を満足することを特徴とする。
２．００＜ ｆｂ／Ｙ ＜ ５．００
ただし、ｆｂはスクリーン面から第１レンズ成分の入射面までの空気換算長であり、接眼レンズが移動する場合は視度０ｍ-1における空気換算長、Ｙはスクリーン面における画面対角長である。
また、本第２２の発明による接眼レンズを備えた一眼レフカメラは、本第４の発明において、次の条件式を満足することを特徴とする。
２．００＜ ｆｂ／Ｙ ＜ ４．００
ただし、ｆｂはスクリーン面から第１レンズ成分の入射面までの空気換算長であり、接眼レンズが移動する場合は視度０ｍ-1における空気換算長、Ｙはスクリーン面における画面対角長である。
また、本第２３の発明による接眼レンズを備えた一眼レフカメラは、本第４の発明において、次の条件式を満足することを特徴とする。
１５ｍｍ＜ Ｙ ＜ ３０ｍｍ
ただし、Ｙはスクリーン面における画面対角長である。
また、本第２４の発明による接眼レンズを備えた一眼レフカメラは、被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズは、被写体側より順に、正の屈折力の第１レンズ成分と、正の屈折力の第２レンズ成分と、負の屈折力の第３レンズ成分とを備え、かつ、次の条件式を満足することを特徴とする接眼レンズを備えた一眼レフカメラ。
０．１５＜ ｔａｎＳ ＜  ０．３５
−０．６７＜ ｆ３／ｆ ＜−０．３７
０．００≦｜ｆ／ｆ２３｜＜０．２５８
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆ３は第３レンズ成分の焦点距離、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
また、本第２５の発明による接眼レンズを備えた一眼レフカメラは、被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズは、被写体側より順に、正の屈折力の第１レンズ成分と、正の屈折力の第２レンズ成分と、負の屈折力の第３レンズ成分とを備え、かつ、次の条件式を満足することを特徴とする。
０．１５＜ ｔａｎＳ ＜  ０．３５
−０．６５＜ ｆ３／ｆ ＜−０．３５
０．００≦｜ｆ／ｆ２３｜＜０．２５８
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆ３は第３レンズ成分の焦点距離、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
また、本第２６の発明による接眼レンズを備えた一眼レフカメラは、被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズは、被写体側より順に、正の屈折力の第１レンズ成分と、正の屈折力の第２レンズ成分と、負の屈折力の第３レンズ成分とを備え、かつ、次の条件式を満足することを特徴とする。
０．１５＜ ｔａｎＳ ＜  ０．３５
−０．６２＜ ｆ３／ｆ ＜−０．４０
０．００≦｜ｆ／ｆ２３｜＜０．２５８
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆ３は第３レンズ成分の焦点距離、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
更に、本第２７の発明による接眼レンズを備えた一眼レフカメラは、本第５の発明において、前記第１レンズ成分は両凸形状であり、前記第２レンズ成分は被写体側に凸面を向けたメニスカス形状であり、前記第３レンズ成分は被写体側面よりも瞳側面の方が曲率半径の絶対値が小さい形状であることを特徴とする。